(57)【要約】【課題】給糸切替装置の一部を構成するフィンガープレート及びスライドプレートとの間に圧接が生ずることによる磨耗等の発生を少なくし、給糸切替装置のメンテナンスを容易に出来るようにする。【解決手段】薄板状のスライドプレートと、スライドプレートに揺動自在に嵌合し、嵌合部上部においてＴ字形に延びる腕部両端にフィンガープレートバットを有するフィンガープレートと、第１のロックレバーと、第２のロックレバーとよりなる複数組を積層してヤーンフィンガー選択手段とし、該ヤーンフィンガー選択手段に、アクチエーターによりその１つが選択される複数のセレクタープレートをフィンガープレートに接して設け、選択されたセレクタープレートによりフィンガープレートを揺動する。【選択図】図３
2008297643.tif 000002
【特許請求の範囲】
【請求項１】
トップスペーサーに摺動自在に挾持され、下縁にヤーンフィンガーとの嵌合部を上縁にフィンガープレートとの嵌合部をそれぞれ有し、フィンガーとフィンガープレートとのそれぞれを下縁及び上縁に嵌着している薄板状のスライドプレートと、前記トップスペーサーに挾持されスライドプレートに揺動自在に嵌合し、嵌合部上部においてＴ字形に延びる腕部両端にフィンガープレートバットを有するフィンガープレートと、スライドプレートに枢着され先端突部をフィンガープレートの側縁に形成してなる２段の凹部に係合させた第１のロックレバーと、トップスペーサーに枢支され先端突部を、スライドプレートの移行方向に延びる下縁部に形成してなる２段の凹部に係合させた第２のロックレバーとよりなる複数組を積層してヤーンフィンガー進退動手段とし、該ヤーンフィンガー進退動手段に、アクチエーターによりその１つが選択される複数のセレクタープレートをフィンガープレートに接して設け、選択されたセレクタープレートによりフィンガープレートを揺動することを可能としてなる丸編機における給糸切替装置。
【請求項２】
Ｔ字形に延びる腕部の両端に出しカム又は戻しカムと当接するフィンガープレートバットを有するフィンガープレートと、該フィンガープレートを上縁に揺動自在に嵌合しているスライドプレートとを、複数組積層してヤーンフィンガー進退動手段とし、前記ヤーンフィンガー進退動手段と、フィンガープレートに接しアクチエーターによりその１つが選択される複数のセレクタープレートとを、トップパートに設け、前記スライドプレートの下縁に設けた嵌合部にホゾを介して嵌合されているヤーンフィンガーを、給糸位置と待機位置との間を摺動可能にボトムパートに設け、ボトムパートのリアブラケットの頂部に設けた軸承け凹部と、トップパートのサイドカバートップ間に渡した軸とにより、トップパートとボトムパートとを取り外し可能にヒンジ付けしボトムパートのフロントブラケットを丸編機フレームに固定したことを特徴とする丸編機における給糸切替装置。
【発明の詳細な説明】
【技術分野】
【０００１】
本発明は、丸編機に複数基設けられ、編針に編成すべき糸を案内する複数のヤーンフィンガーを有してその内いずれか選択し、給糸位置に進出させ或いは給糸位置から待機位置に後退させる、丸編機における給糸切替装置に関する。
【背景技術】
【０００２】
従来丸編機に於いて使用されている給糸切替装置は、給糸する糸の選択に際して、複数のヤーンフィンガー（糸案内腕）を有し、その内の選択されたヤーンフィンガーにより所要の糸を給糸位置の編針に案内し保持し、編地編成を行わしめると共に、それまで編成を行っていた糸を保持するヤーンフィンガーを待機位置に退避させ給糸を停止すると共に新たに編成を行う糸を給糸位置に進出させ給糸を開始する給糸切替装置を複数基を丸編機シリンダ周囲に配している。
【０００３】
これら給糸切替装置は、複数種の糸を保持するため糸種と等しい数のヤーンフィンガー及び該ヤーンフィンガーを給糸位置に対して進出、待機位置に向けて退出し、或いはそれらの位置を固定する位置固定手段等が各糸ごとに設けられており、かつ、上記ヤーンフィンガー及び該ヤーンフィンガーを作動するセレクターレバーよりなる選択手段はいずれも薄板状をなし、それらは積層状態に重ねられている（特許文献１）。
そして、これらセレクターレバー，ヤーンフィンガー等はいずれも待機状態にあるときはスプリングにより、それらの上縁に設けられているバットが上方に突出するよう付勢されており、使用すべき糸種に応じて選択され作動するアクチエーターの揺動爪によりセレクターバットを介して押し込まれた前記セレクターレバーは、更にヤーンフィンガーを押し込むことによりヤーンフィンガーを出しカムと当接して該カムによりヤーンフィンガーを給糸位置に進出させている。
【０００４】
従って、ヤーンフィンガーの給糸位置への進出動作を行うには、セレクターレバー及びヤーンフィンガーのバットを上方に向け付勢しているスプリングの弾性に抵抗して、アクチエーターの揺動爪をセレクターレバーバットに接触させ上記バットを押し下げ、ヤーンフィンガーをロック部材により上昇しないようにロックし、同時にヤーンフィンガーを出しカムと当接する位置に押し下げなければならず、その力を受けるアクチエーターの揺動爪，セレクターレバー，ヤーンフィンガー等のバットは磨耗損傷が激しく常時のメンテナンスが必要となる。
【０００５】
上記の構成にあっては、アクチエーターによりセレクターレバーバットが押し込まれ、ヤーンフィンガーがロックされるまでの間押し込む力は継続して相当な力を必要とし、かつ、ロックレバーは固定した位置に設けられているため、アクチエーターの揺動爪とセレクターレバーバットとが当接したときからロックが掛かる迄の回転角度について、その間は押し込まれ上記の力が加えられていることになる。
【０００６】
また、従来の給糸切替装置にあっては、風綿が機械の中に詰まり、誤作動を起こす要因となった。それを除去する為、装置を丸編機から取り外し、分解し、清掃をする方法しかなく、非常に時間と手間がかかった。
【特許文献１】特開２００４−１３１９０８号公報
【発明の開示】
【発明が解決しようとする課題】
【０００７】
本発明は上記の点に鑑みて、編成に使用する糸を編成位置に案内するためのヤーンフィンガーを含む給糸切替装置の一部を構成するフィンガープレート及びスライドプレートとの間に圧接が生ずることによる磨耗等の発生が無いようにすることを目的としている。また、本発明給糸切替装置にあっては、給糸切替装置内に堆積している風綿等の塵埃を容易に取り除くことが出来るようにすることを目的としている。
【課題を解決するための手段】
【０００８】
本発明の請求項１記載の丸編機における給糸切替装置は、トップスペーサーに摺動自在に挾持され、下縁にヤーンフィンガーとの嵌合部を上縁にフィンガープレートとの嵌合部をそれぞれ有し、ヤーンフィンガーとフィンガープレートとのそれぞれを下縁及び上縁に嵌着している薄板状のスライドプレートと、前記トップスペーサーに挾持されスライドプレートに揺動自在に嵌合し、嵌合部上部においてＴ字形に延びる腕部両端にフィンガープレートバットを有するフィンガープレートと、スライドプレートに枢着され先端突部をフィンガープレートの側縁に形成してなる２段の凹部に係合させた第１のロックレバーと、トップスペーサーに枢支され先端突部を、スライドプレートの移行方向に延びる下縁部に形成してなる２段の凹部に係合させた第２のロックレバーとよりなる複数組を積層してヤーンフィンガー選択手段とし、該ヤーンフィンガー選択手段に、アクチエーターによりその１つが選択される複数のセレクタープレートをフィンガープレートに接して設け、選択されたセレクタープレートによりフィンガープレートを揺動することを可能としている。  本発明の請求項２記載の丸編機における給糸切替装置は、Ｔ字形に延びる腕部の両端に出しカム又は戻しカムと当接するフィンガープレートバットを有するフィンガープレートと、該フィンガープレートを上縁に揺動自在に嵌合しているスライドプレートとを、複数組積層してヤーンフィンガー進退動手段とし、前記ヤーンフィンガー進退動手段と、フィンガープレートに接しアクチエーターによりその１つが選択される複数のセレクタープレートとを、トップパートに設け、前記スライドプレートの下縁に設けた嵌合部にホゾを介して嵌合されているヤーンフィンガーを、給糸位置と待機位置との間を摺動可能にボトムパートに設け、ボトムパートのリアブラケットの頂部に設けた軸承け凹部と、トップパートのサイドカバートップ間に渡した軸とにより、トップパートとボトムパートとを取り外し可能にヒンジ付けしボトムパートのフロントブラケットを丸編機フレームに固定してなり、清掃時にトップパートを開き取り外すことが出来るようにしている。
【発明の効果】
【０００９】
本発明にあっては、トップスペーサーに摺動自在に挾持され、下縁にヤーンフィンガーとの嵌合部を上縁にフィンガープレートとの嵌合部をそれぞれ有し、ヤーンフィンガーとフィンガープレートとのそれぞれを下縁及び上縁に嵌着している薄板状のスライドプレートと、前記トップスペーサーに挾持されスライドプレートに揺動自在に嵌合し、嵌合部上部においてＴ字形に延びる腕部両端にフィンガープレートバットを有するフィンガープレートと、スライドプレートに枢着され先端突部をフィンガープレートの側縁に形成してなる２段の凹部に係合させた第１のロックレバーと、トップスペーサーに枢支され先端突部を、スライドプレートの移行方向に延びる下縁部に形成してなる２段の凹部に係合させた第２のロックレバーとにより１つのヤーンフィンガー選択手段が構成されているので、アクチエーターによる押圧によりセレクタープレートで所定の選択が行なわれると、同時に第１のロックレバーでフィンガープレートとスライドプレートとの嵌合が行われ、各部材間に摩擦が生ずるような圧力を受けることはない。
【００１０】
本発明装置にあっては、アクチエーターにより選択されたセレクタープレートの押圧によって、フィンガープレートを揺動しフィンガープレートバットを出しカム進行軌跡内に突出させているが、上記フィンガープレートは常時は第１のロックレバーを係止することで妄動を阻止しており、フィンガープレート自体には特定方向に旋回或いは揺動しようとするような力は賦与されていない。従って、フィンガープレート自体を変位させるためには、フィンガープレートの凹部に嵌合している第１のロックレバーの前記係止を解く力、即ちロックレバーの突部が凹部から退出するに要する力が有れば良く、その力は従来の強弾性のスプリングを用い直接に部材を押し出していた従来の装置に比して極めて少ない。スライドプレートも同様に第２のロックレバーを係止することで所定位置に固定状態で静止することも可能とした。
【００１１】
従って、本発明装置にあっては、待機状態にあるときスライドプレート，フィンガープレート等には、それを特定方向に付勢するような力は働いていないので、スライドプレート，フィンガープレート等の選択のためにそれらを移動しようとセレクタープレートにより押圧してもその押圧力に抗する付勢力はないために、それらの部材間で磨耗が生ずることはない。
更に請求項２記載の発明にあっては、ボトム部がフロントブラケット６０で丸編機と固定しながら容易にボトム部とトップ部の開閉、及びトップ部の着脱ができるので、容易に機械の中に溜まる風綿等を除去することが可能になり、さらに、トップ部の着脱によりフロントブラケットでボトム部が丸編機と固定しているため、出しカムと戻りカムおよびアクチエーターとの取り付け位置関係の調整をする必要がなくなった。
【発明を実施するための最良の形態】
【００１２】
本発明の実施の形態を図面と共に次に説明する。
図１Ａは本発明装置の側面図，Ｂは同正面図、図２は本発明装置のサイドカバーを取り外した状態の側面図、図３は本発明装置のトップスペーサー，フィンガースペーサーを取り除いた状態の側面図である。
【００１３】
本発明給糸切替装置１は、ヤーンフィンガー選択手段２を有するトップパート３と、ヤーンフィンガー４を支持するボトムパート５よりなる。
トップパート３は細長薄板状のスライドプレート６及びスライドプレート６の上縁７に設けられＵ字形をなした嵌合部８にホゾ９を嵌合しスライドプレート６に揺動自在に支持したフィンガープレート１０を有している。
フィンガープレート１０はホゾ９の上部にＴ字状に腕部が延び、その両端にフィンガープレートバット１１ａ，１１ｂを有し、一方のフィンガープレートバット１１ｂは下方に延ばした延長部側縁１２に上下に２個所の凹部１３ａ，１３ｂを設けている。上記凹部１３ａ，１３ｂのいずれかには第１のロックレバー１４の先端突部１５が係合している。
【００１４】
第１のロックレバー１４は後述するスライドプレート６の端部嵌合部１６に枢着されると共に、頂部にはフィンガープレート１０との間にスプリング１７が張り渡され、第１のロックレバー１４は先端突部１５をフィンガープレート１０の凹部１３ａ又は１３ｂに嵌合させている。
【００１５】
スライドプレート６は前述の如く細長板状体をなし、中央部にガイド溝１８を有し、ガイド溝１８に挿通されトップパート３の両側面に設けられているサイドカバートップ１９，１９間に架け渡してあるシャフト２０，２０を前記ガイド溝１８に通すことによりシャフト２０，２０に案内され図３において左右に移動可能としている。そして、スライドプレート６の下縁には、間隔を置いて２カ所の凹部２１ａ，２１ｂを設け、トップスペーサー２２に枢支されＬ形をなした第２のロックレバー２３の突部２４をスプリング２５により付勢し係合している。また、スライドプレート６の下縁にはＵ字形をなしたヤーンフィンガー４との嵌合部２６を設けてある。上記スライドプレート６とそれに組み合わされているフィンガープレート１０とは、図示の例では３組が両側及び間に挟んだトップスペーサー２２と共に積層され、更にその両側をサイドカバートップ１９，１９で被っている。
【００１６】
また、トップパート３のフィンガープレート１０の上位にはフィンガープレート１０を選択するためのアクチエーター３０が丸編機シリンダーと同期回転している上部円盤の下部に設けられている。
アクチエーター３０は、選択すべき編糸の種類数（図示の例では３種）に応じた数の揺動爪３１を有し、所定の糸に対応する揺動爪３１を揺動させることにより、該爪３１を、アクチエーター３０の下位に設けられたセレクターブロック３２のセレクタープレート３３のセレクターバット３３ａに当接し、セレクタープレート３３を押し下げるようにしている。
【００１７】
セレクターブロック３２は所定枚数（図示の例では３枚）のセレクタープレート３３をその内部に等間隔に並列し、かつ、上下に摺動自在に支持している。各セレクタープレート３３の上縁にはそれぞれ位置を変えたセレクターバット３３ａが設けられセレクターバット３３ａのそれぞれが、セレクタープレート３３の上位に設けられたアクチエーター３０の揺動爪３１と対応している。そして、揺動爪３１が揺動した状態のもとで丸編機の回転により揺動爪３１がセレクターバット３３ａと当接すると当該セレクタープレート３３は選択されてセレクターブロック３２内を押し下げられることになる。セレクタープレート３３の中央縦方向に長溝３３ｂが設けられ、セレクターブロック３２に両端を支持された軸３３ｃが長溝３３ｂ内に挿通されており、軸３３ｃにガイドされてセレクタープレート３３はセレクターブロック３２内を上下に摺動する。セレクタープレート３３の下縁両端には突部３３ｄが設けられ、セレクタープレート３３がアクチエーター３０により押し込まれた際にフィンガープレート１０の上縁と前記突部３３ｄが当接しフィンガープレート１０を揺動する。
【００１８】
上記フィンガープレート１０の揺動時突出したフィンガープレートバット１１ａと当接する位置は丸編機シリンダーと同期回転している上部支持体８０の下部に設けられており、出しカム３４を、突出したフィンガープレートバット１１ｂと当接する位置に戻しカム３５を設けている。出しカム３４，戻しカム３５，アクチエーター３０は図８に示した支持体８０に支持され、支持体８０は丸編機の回転に従って回転中心Ｃを中心として反時計針方向に回転し、先ず出しカム３４は新たに給糸する糸のフィンガープレート１０の突出しているバット１１ａと、次いで戻しカム３５はそれまでに給糸されていた糸のフィンガープレート１０のバット１１ｂと、それぞれ当接しフィンガープレート１０を給糸位置或いは待機位置に摺動する。
ヤーンフィンガー４は細長板状体をなし、図示の例では３枚がフィンガースペーサー４０及びボトムスペーサー４１によって摺動自在にサイドカバーボトム４２，４２間に支持されている。ヤーンフィンガー４には直線状の長孔４３及びＶ字状長孔４４とを有しサイドボトムカバー４２，４２間に設けたピン４５，４６を該孔４３，４４に挿通することで、ヤーンフィンガー４は先端下部に設けた導糸孔４７を給糸位置に進出退去するよう移動可能とする。ヤーンフィンガー４の上縁には、突出したホゾ４８を設ける。ホゾ４８は、前記スライドプレート６の下縁に設けた逆Ｕ字形のヤーンフィンガーとの嵌合部２６に嵌合しており、スライドプレート６の左右往復動に従ってヤーンフィンガー４も往復動を可能としている。
【００１９】
上記積層状態に並列したヤーンフィンガー４の間にはヤーンフィンガー４の動きに連動して糸端を切断保持する糸端切断保持部材４９をホルダー５０及びシザースブロック５５により支持する。糸端切断保持部材４９は、図４に示す如き薄板状の固定刃５１，動刃５２，ヤーンキャッチプレート５３，糸押さえ５４が、図３において固定刃５１が手前に、次に動刃５２が、次にヤーンキャッチプレート５３が、次に糸押さえ５４が位置するように配される。固定刃５１の先端縁及び動刃５２の上向きに開いたフック部内側縁に刃部５１ａ，５２ａが設けられている。固定刃５１とヤーンキャッチプレート５３とのそれぞれに設けた丸孔５１ｂ，５３ｂにシザースブロック５５を介在させてシャフト５６を通し、固定刃５１の孔５１ｃとヤーンキャッチプレート５３の孔５３ｃにシャフト５７を通し、かつ、該シャフト５７は両サイドカバーボトム４２により両端部を支持することにより、固定刃５１ヤーンキャッチプレート５３はボトムパート５に不動状態に支持固定される。このときシャフト５７は固定刃５１，ヤーンキャッチプレート５３の孔５１ｃ，５３ｃを通すと共に動刃５２の長孔５２ｃと糸押さえ５４の長孔５４ｃにも通されており、動刃５２と糸押さえ５４は共に上記長孔５２ｃ，５４ｃの長さ分だけ左右に移動することが出来る。
【００２０】
動刃５２の上縁には凹嵌部５２ｄを、糸押さえ５４の上縁には凹嵌部５４ｄを構成している。上記凹嵌部５２ｄ，５４ｄ内には前記ヤーンフィンガー４の下縁に設けた突部５８が位置し、突部５８はヤーンフィンガー４の摺動時、前記動刃５２の凹嵌部５２ｄの側壁５２ｆ又は５２ｇ、及び糸押さえ５４の凹嵌部５４ｄの側壁５４ｆ又は５４ｇと当接し、動刃５２，糸押さえ５４を図３において左方又は右方に摺動する。
【００２１】
ボトムパート５は、サイドカバーボトム４２，４２間の前部にフロントブラケット６０を、後部にリアブラケット６１をそれぞれ有し、１つのブロック体を形成し、ボトムパート５にトップパート３を取外し可能にヒンジ付けしている。即ち、ボトムパート５のリアブラケット６１の頂部には開口方向を垂直から４５°フロントブラケット６０側に斜め９０°に開口した軸承け凹部６２を設ける。軸承け凹部６２には、トップパート３のサイドカバートップ１９，１９間に渡した、前記軸受凹部６２の開口より細い軸６３を取り外し可能に嵌合している。上記取り外し時にはトップパート３を図３において時計針方向に旋回しフロントブラケット６０とトップパート３とが離れるような位置にしてから傾けた開口方向に軸６３を引き抜くようにして外す。
【００２２】
トップパート３の揺動端部下位にトップパート３とボトムパート５とをロックするロック部材７０を設ける。ロック部材７０はサイドカバートップ１９内に設けられている。７１は倒コ字状の基板で一端に係止バー７２を他端にガイドバー７３を設けている。そして、前記両バー７２，７３の間には固定バー７４を基板７１のコ字状の屈曲縁部に設けた長孔７５に嵌合している。固定バー７４はサイドカバートップに固定されている。前記係止バー７２，ガイドバー７３は、その両端をサイドカバートップ１９の長孔７６，７７に摺動自在に嵌合している。固定バー７４とガイドバー７３との間にはスプリング７８を渡してあり、ロック部材７０の係止バー７２は常にフロントブラケット６０側に突出するよう付勢されている。そして前記突出した係止バー７２はボトムパート５のフロントブラケット６０に設けられたフック７９に係止することによってトップパート３とボトムパート５とは固定されている。固定を解くときは、スプリング７８に抗して係止バー７２をフック７９から外しトップパート３を旋回動させれば良い。
【００２３】
次に本発明給糸切替装置の作用につき説明する。
給糸切替装置１のヤーンフィンガー４が待機位置にあるときは図１乃至３に示す如くすべてのヤーンフィンガー４は導糸孔４７を後退させている。その内の１つのヤーンフィンガー４を選択し、給糸位置に位置させようとする場合、当該ヤーンフィンガー４に対応するアクチエーター３０の揺動爪３１を作動させる。例えば図３における１番手前のヤーンフィンガー４を作動させるとして、アクチエーター３０の揺動爪３１ａを揺動して丸編機の回転による揺動爪３１ａとセレクタープレート３３のバット３３ａとの接触によりセレクタープレート３３を押し込み、セレクタープレート３３の下端縁の突部３３ｄをフィンガープレート１０に押し当て、フィンガープレート１０をホゾ９を中心に図３において反時計針方向に旋回動しフィンガーバット１１ａを突出させる。この動きによりフィンガープレートバット１１ａは出しカム３４と当接し、丸編機の回転と共に同カム３４によりフィンガープレート１０は図３左方向に移動させられる。
【００２４】
上記のセレクタープレート３３によるフィンガープレート１０の押し込みによりフィンガープレート１０の側端縁の低い位置にある凹部１３ｂと係合していた第１のロックレバー１４の先端突部１５は高い位置にある凹部１３ａと係合することになる。この低位置の凹部１３ｂから他の凹部１３ａへ切り替るフィンガプレート１０の旋回時に要する力は、第１のロックレバー１４の先端突部１５が凹部１３ｂからスプリング１７の引張力に抗して抜け出る際の抵抗力に相当する力だけで済み、凹部１３ｂから脱出した突部１５が第２の凹部１３ａに係合する際はスプリングの引張力により突部１５が凹部１３ａに落ち込むのであるから、これらの各部材間には強い接圧は生じない。従って、部材間の強い接圧の発生を防止している。
【００２５】
上記フィンガープレート１０の左行により、フィンガープレート１０と一体のスライドプレート６も左行する。この際、スライドプレート６は図３に示すようにその下縁に設けた左位置にある凹部２１ａが第２のロックレバー２３と係合しているが、前記スライドプレート６の左行により、第２のロックレバー２３は、右位置にある凹部２１ｂと係合し、スライドプレート６の停止位置を確定して停止することになり、横行動の慣性によりオーバーランし、又反動で跳ね返り、不正位置に停止するというような事も生じない。
上記スライドプレート６の左行により、スライドプレート６の下縁端部に設けられた嵌合部２６にホゾ４８が嵌合しているヤーンフィンガー４はスライドプレート６の上記左行により、ピン４５，４６に案内される状態で左行する。
【００２６】
図３における待機状態にあっては糸Ｙはヤーンガイド６４からヤーンフィンガー４の導糸孔４７に至り、ヤーンフィンガー４に隣接して設けられている固定刃５１，動刃５２，ヤーンキャッチプレート５３，糸押さえ５４等よりなる糸端切断保持部材４９により確保されている。このとき動刃５２，糸押さえ５４はいずれも図４に示す凹嵌部側壁５２ｇ，５４ｇ共にヤーンフィンガー４の突部５８により図３において最も右に寄った位置に引き込まれており、動刃５２及び糸押え５４はその尖頭部を針Ｎに対して引き込ませた状態となっている。
【００２７】
然し、前記したスライドプレート６の図３における左行によりヤーンフィンガー４が左行すると導糸孔４７が給糸位置に糸Ｙを案内すると共に、ヤーンフィンガー４の突部５８は遅れて動刃５２の凹嵌部５２ｄの側壁５２ｆ及び糸押さえ５４の凹嵌部５４ｄの側壁５４ｆと当接し動刃５２，糸押さえ５４を共に左行させ先端鉤部５２ｈ，５４ｈにニップしている糸端を開放する。
【００２８】
現在給糸している糸Ｙの給糸を停止し待機位置に戻す際は、当該糸Ｙに対応するアクチエーター３０の揺動爪３１によりセレクターバット３３ａを叩き、当該セレクタープレート３３はフィンガープレート１０を叩く。このときフィンガープレート１０は図３において左側に移動しており、かつ、バット１１ａを突出しているが、上記の叩きによって、バット１１ｂが突出しバット１１ａは没することになるので、フィンガープレートバット１１ｂは戻しカム３５と接し、丸編機の回転により図３に示す如く右行する。上記右行によって、フィンガープレート１０，ライドプレート６，ヤーンフィンガー４は共に右行しヤーンフィンガー４は導糸孔４７を図３に示す待機位置に戻し、同時に糸端切断保持部材４９により糸端を切断し保持することになる。
【００２９】
上記のスライドプレート６の左右動において、スライドプレート６は第２のロックレバー２３の突部を左右の凹部２１ａ，２１ｂに係合させている。そして、その係合はスプリング２５の弾発力により規制している。これは第１のロックレバー１４と同様に最も適した制動力で各部材の妄動を防止するのに効果的である。
【００３０】
尚、本発明装置にあって、両サイドカバーボトム或いは両サイドトップにシャフト等の両端部を嵌挿し支持する場合、シャフトの脱落を防止するため三角形或いはＴ字形の薄板状のシャフトカバー８０をサイドカバーに当てがい、シャフトの移動を阻止している。
【図面の簡単な説明】
【００３１】
【図１】Ａは本発明装置の側面図，Ｂは同正面図。
【図２】本発明装置のサイドカバーを取り外した状態の側面図。
【図３】本発明装置のトップスペーサー，フィンガースペーサーを取り除いた待機状態の側面図。
【図４】本発明装置のトップスペーサー，フィンガースペーサーを取り除いた給糸状態の側面図。
【図５】Ａは固定刃の側面図、Ｂは動刃の側面図、Ｃはヤーンキャッチプレートの側面図、Ｄは糸押さえ側面図。
【図６】サイドカバーボトムの側面図。
【図７】サイドカバートップの側面図。
【図８】トップスペーサーの側面図。
【図９】カムおよびアクチエーターの位置図。
【図１０】トップ部とボトム部の開閉図。
【符号の説明】
【００３２】
１  給糸切替装置
２  ヤーンフィンガー選択手段
４  ヤーンフィンガー
６  スライドプレート
８  フィンガープーレートとの嵌合部
１０  フィンガープレート
１１ａ，１１ｂ  フィンガープレートバット
１２  フィンガープレートの側縁
１３ａ，１３ｂ  凹部
１４  第１のロックレバー
２１ａ，２１ｂ  凹部
２２  トップスペーサー
２３  第２のロックレバー
２４  突部（第２のロックレバーの）
２６  ヤーンフィンガーとの嵌合部
３０  アクチエーター
３３  セレクタープレート
【図１】
2008297643.tif 000003
【図２】
2008297643.tif 000004
【図３】
2008297643.tif 000005
【図４】
2008297643.tif 000006
【図５】
2008297643.tif 000007
【図６】
2008297643.tif 000008
【図７】
2008297643.tif 000009
【図８】
2008297643.tif 000010
【図９】
2008297643.tif 000011
【図１０】
2008297643.tif 000012
【手続補正書】
【提出日】平成19年5月30日(2007.5.30)
【手続補正１】
【補正対象書類名】図面
【補正対象項目名】図１０
【補正方法】変更
【補正の内容】
【図１０】
2008297643.tif 000013